(57)【要約】【課題】  燃焼手段で燃焼された燃焼ガスが室内に漏洩することを低減することに加えて、ドレンパイプにドレンが滞留することを防止する温風暖房機を提供する。【解決手段】  ドレンパイプ５４は、上端部５４ａが排気筒３４の先端部３８の凹部３８ａに接続され下端部５４ｂが排気筒３４の先端部３８の凹部３８ａの下方で機内に開放され、下端部５４ｂは、軸線５４ｄに直交する面でドレンの表面張力により膜が生成される筒部として形成され、筒部の先端５４ｅは、ドレンの表面張力により膜が生成されないように筒部の軸線５４ｄに対して斜面状に形成されている。【選択図】  図４
2010175148.tif 000002
【特許請求の範囲】
【請求項１】
室外空気を吸気する吸気手段と、
前記吸気手段で吸気された空気が供給されると共に燃料ガスが供給されて燃焼する燃焼手段と、
前記燃焼手段で燃焼した燃焼ガスを室外に排気する排気手段と、
前記排気手段に設けられ前記燃焼ガスの熱を室内空気に伝導するための熱交換手段と、
前記室内空気を前記熱交換手段により熱が伝導されるように送風する送風手段と、
前記排気手段で前記燃焼ガス中の水蒸気が凝縮したドレンを排出するドレン排出手段とを備える温風暖房機において、
前記ドレン排出手段は、一端部が前記排気手段に接続され他端部が前記排気手段の下方で機内に開放されたパイプ状に構成され、前記他端部は、軸線に直交する面でドレンの表面張力により膜が生成される筒部として形成され、前記筒部の先端は、前記筒部の軸線に対してドレンの表面張力により膜が生成されないように斜面状に形成されていることを特徴とする温風暖房機。
【請求項２】
請求項１記載の温風暖房機において、
前記筒部は、前記他端部の側面をかしめて形成されることを特徴とする温風暖房機。
【発明の詳細な説明】
【技術分野】
【０００１】
本発明は、燃焼ガス中の水蒸気が凝縮したドレンを排出する手段を有する温風暖房機に関する。
【背景技術】
【０００２】
従来、上記の温風暖房機におけるドレン排出手段としては、次のように、燃焼手段で燃焼された燃焼ガスが室内に漏洩することを低減するように形成されたものが知られている。第１の手段は、排気通路の途中に設けたドレン管の下端を密閉し、その上部のドレン管の側面に小径の穴を設けたものである（特許文献１参照）。第２の手段は、ドレンパイプ内にオリフィスを設けたものである（特許文献２参照）。第３の手段は、ドレン排出管の内径をドレンの表面張力により排気ガスが漏れないような小径としたものである（特許文献３参照）。
【先行技術文献】
【特許文献】
【０００３】
【特許文献１】実開昭５７−０１０６５８号公報
【特許文献２】実開昭５４−１６９９３７号公報
【特許文献３】実開昭５３−１４５７５２号公報
【発明の概要】
【発明が解決しようとする課題】
【０００４】
上記の温風暖房機のドレン排出手段においては、第１の手段の場合、ドレン管の下端からドレン管の側面の穴までの高さまでドレン管にドレンが滞留する。第２及び第３の手段の場合、ドレンパイプのオリフィス又はドレン排出管の下端でドレンの表面張力で膜が生成されるため、ドレンの表面張力に打ち勝つ水頭が発生するまでドレンパイプ又はドレン排出管にドレンが滞留する。
【０００５】
即ち、上記の従来技術では、いずれにしてもドレンパイプにドレンが滞留するようになっているので、ドレンの影響でドレンパイプ又はドレン排出管に腐食が発生するという問題があった。
【０００６】
本発明は、燃焼手段で燃焼された燃焼ガスが室内に漏洩することを低減することに加えて、ドレンパイプにドレンが滞留することを防止する温風暖房機を提供することを目的とする。
【課題を解決するための手段】
【０００７】
本発明の温風暖房機は、室外空気を吸気する吸気手段と、前記吸気手段で吸気された空気が供給されると共に燃料ガスが供給されて燃焼する燃焼手段と、前記燃焼手段で燃焼した燃焼ガスを室外に排気する排気手段と、前記排気手段に設けられ前記燃焼ガスの熱を室内空気に伝導するための熱交換手段と、前記室内空気を前記熱交換手段により熱が伝導されるように送風する送風手段と、前記排気手段で前記燃焼ガス中の水蒸気が凝縮したドレンを排出するドレン排出手段とを備える温風暖房機において、前記ドレン排出手段は、一端部が前記排気手段に接続され他端部が前記排気手段の下方で機内に開放されたパイプ状に構成され、前記他端部は、軸線に直交する面でドレンの表面張力により膜が生成される筒部として形成され、前記筒部の先端は、前記筒部の軸線に対してドレンの表面張力により膜が生成されないように斜面状に形成されていることを特徴とする。
【０００８】
本発明によれば、ドレン排出手段を構成する他端部は、軸線に直交する面でドレンの表面張力により膜が生成される程の筒部として形成されているので、そのような筒部の他端部の面積は、燃焼手段で燃焼された燃焼ガスが室内に漏洩することを抑制できる程小さく、筒部の先端では、軸線に対して斜面状に形成されドレンの表面張力により膜が生成されない程に面積が大きいので、筒部に流れ込んだドレンは表面張力により膜を生成することなく機内に排出されることとなる。これにより、ドレンパイプにドレンが滞留することが防止される。
【０００９】
本発明において、前記筒部は、前記他端部の側面をかしめて形成されることが好ましい。
【００１０】
この好ましい形態によれば、ドレン排出手段の他端部を、軸線に直交する面でドレンの表面張力により膜が生成される筒部を容易に形成することができる。
【図面の簡単な説明】
【００１１】
【図１】本発明に係る温風暖房機の一例を示す正面図である。
【図２】本発明に係る温風暖房機の一例を示す側面図である。
【図３】本発明に係る温風暖房機の一例を示す背面斜視図である。
【図４】図１〜図３の温風暖房機に用いられるドレンパイプを示す図である。
【図５】図４において矢印で示すＡの方向からドレンパイプの面を見た図である。
【図６】ドレンパイプの他の例を示す図である。
【図７】図６において矢印で示すＢの方向からドレンパイプの面を見た図である。
【発明を実施するための形態】
【００１２】
温風暖房機１０は、図１に示すように、偏平で横長の板金製ケーシング１２の右側に燃焼用ブロワ１４を装着し、下部に横置き円筒状の燃焼筒１６を設置している。燃焼筒１６の右端には燃焼手段であるガスバーナ１８が設けられており、燃焼用ブロワ１４の吹出口から燃焼用空気が供給されると共に、燃料ガス供給機構２０から燃料ガスが供給されて燃焼される。
【００１３】
図２及び図３に示すように、ケーシング１２の背面には、燃焼用ブロワ１４に室外空気を導入するための室外空気吸気管２８、エアダクト２６及びガスバーナ１８で燃焼された燃焼ガスを室外に排出するための排気外管４０、及び排気ダクト４４の取回しスペースを確保するため、枠２２が連結されている。燃焼用ブロワ１４の吸気口２４は先端が閉じた吸気筒となっており、背面を突き抜けて後方に突設されている。吸気口２４の側面にはエアダクト２６が連結されており、枠２２内で、室内と室外とを連通して部屋壁に形成された穴（図示省略）に差し込まれる室外空気吸気管２８に接続している。尚、本実施形態において、燃焼用ブロワ１４、室外空気吸気管２８、エアダクト２６、吸気口２４、及び燃焼用ブロワ１４が本発明の吸気手段を構成している。
【００１４】
ケーシング１２内の燃焼筒１６の上方には、燃焼ガスの熱を室内空気に伝導するための熱交換手段である熱交換器３０が横置きに設置されている。燃焼筒１６の左端と熱交換器３０の左端とは、矩形断面の連結筒３２で連結されている。熱交換器３０と燃焼筒１６との間には、これらと平行に排気筒３４が取り付けられている。熱交換器３０の右端と排気筒３４の右端とは、矩形断面の連結筒３６で連結されている。排気筒３４の先端部３８は、９０度後方に曲げられて背板１２ａを突き抜けて後方に突設されてガスバーナ１８の排気口となっており、枠２２内で、室外空気吸気管２８内に同軸的に設置された排気外管４０に排気ダクト４４を介して連結している。尚、本実施形態において、連結筒３２、連結筒３６、排気外管４０、及び排気ダクト４４が本発明の排気手段を構成している。
【００１５】
ケーシング１２の上部には、送風手段である細長い円筒状の暖房空気吹出用ファン４６が横置きに設置されている。この暖房空気吹出用ファン４６は、ケーシング１２の背板１２ａの上部に形成された室内空気吸気口４８（図３参照）から吸気した室内空気を、ケーシング１２の前板１２ｂの下部に形成した温風吹出口５０（図２参照）から前方に吹出す。室内空気は、熱交換器３０、排気筒３４、及び燃焼筒１６の周囲を流れて熱交換されて加熱され、高温になって温風吹出口５０から前方に吹出される。ケーシング１２内の燃焼筒１６の下方のケーシング底板１２ｃ上に手前に引出し可能な加湿用水皿５２が前方への引出し可能に設置されている。
【００１６】
排気筒３４の先端部３８の下面には、下方に膨出する凹部３８ａが設けられて、ドレンの溜まり部を形成している。凹部３８ａには、ドレンパイプ５４の上端部５４ａが垂直に接続され、ドレンパイプ５４の下端部５４ｂは、加湿用水皿５２内にドレンが滴下されるように開口が開放され下方に向けられている。
【００１７】
図４に示すように、ドレンパイプ５４は、上端から所定の距離下方に至る上端部５４ａと、上端部５４ａから下方に燃焼筒１６に沿うように円弧状に延びた円弧部５４ｃと、円弧部５４ｃの接線に沿うように所定の距離延びた下端部５４ｂとから成る。
【００１８】
ドレンパイプ５４の下端部５４ｂは、軸線５４ｄに直交する面でドレンの表面張力により膜が生成される筒部として形成され、筒部の下端５４ｅは、ドレンの表面張力により膜が生成されないように筒部の軸線５４ｄに対して斜面状に形成されている。
【００１９】
ドレンパイプ５４には、図５に示すように、下端部５４ｂの側面を軸線５４ｄに対して平行にかしめてかしめ線５４ｇを形成して筒部が形成される。筒部の下端５４ｅには、開口５４ｆが形成されている。
【００２０】
尚、本実施形態のドレンパイプ５４の下端部５４ｂは、内径が一定の直管であるが、図６及び図７に示すように、ドレンパイプ５４の下端部５４ｂの側面を軸線５４ｄに対して斜めとなるようにかしめてかしめ線５６ｇを形成して、内径が下端に向けて縮径するドレンパイプ５６の下端部５６ｂを有するように形成することもできる。下端５６ｅの開口５６ｆは、図５の開口５４ｆに対して面積が小さく燃焼ガスが室内に漏洩することをより抑制できる。
【００２１】
本実施形態によれば、ドレンパイプ５４を構成する下端部５４ｂは、軸線５４ｄに直交する面でドレンの表面張力により膜が生成される程の筒部として形成されているので、そのような筒部の下端部５４ｂの面積は、ガスバーナ１８で燃焼された燃焼ガスが室内に漏洩することを抑制できる程小さく、筒部の先端５４ｅでは、軸線５４ｄに対して斜面状に形成されドレンの表面張力により膜が生成されない程に面積が大きいので、筒部に流れ込んだドレンは表面張力により膜を生成することなく機内に排出されることとなる。これにより、ドレンパイプ５４にドレンが滞留することが防止される。
【００２２】
また、筒部は、下他端部５４ｂの側面をかしめて形成されるため、ドレンパイプ５４の下端部５４ｂを、軸線５４ｄに直交する面でドレンの表面張力により膜が生成される筒部として容易に形成することができる。
【符号の説明】
【００２３】
１０…温風暖房機、１２…ケーシング、１２ａ…背板、１２ｂ…前板、１２ｃ…底板、１４…燃焼用ブロワ、１６…燃焼筒、１８…ガスバーナ、２０…燃料ガス供給機構、２２…枠、２４…吸気口、２６…エアダクト、２８…室外空気吸気管、３０…熱交換器、３２…連結筒、３４…排気筒、３６…連結筒、３８…先端部、３８ａ…凹部、４０…排気外管、４４…排気ダクト、４６…暖房空気吹出用ファン、４８…室内空気吸気口、４８燃焼室、５０…温風吹出口、５２…加湿用水皿、５４、５６…ドレンパイプ、５４ａ、５６ａ…上端部、５４ｂ，５６ｂ…下端部、５４ｃ，５６ｃ…円弧部、５４ｄ、５６ｄ…下端、５４ｅ，５６ｅ…下端、５４ｆ，５６ｆ…開口、５４ｇ，５６ｇ…かしめ線。
【図１】
2010175148.tif 000003
【図２】
2010175148.tif 000004
【図３】
2010175148.tif 000005
【図４】
2010175148.tif 000006
【図５】
2010175148.tif 000007
【図６】
2010175148.tif 000008
【図７】
2010175148.tif 000009